(57)【要約】【課題】ウイング部及びフラップ部を備える場合において、吸収性物品の装着ミスを低減しつつ、より確実に横漏れを防止できる吸収性物品を提供する。【解決手段】本発明に係る生理用ナプキン１のフラップ部１００は、縦方向においてウイング部５０と対応する部分に設けられる幅狭部分１００Aと、縦方向におけるウイング部５０の両端部の外側にそれぞれ設けられ、幅方向における幅狭部分１００Aの外縁１００ＡＥよりも幅方向外側に突出した幅広部分１００Bとを有する。幅狭部分１００Aの外縁１００ＡＥは、ウイング部５０が折り返されるときの折り返し線Ｌ１の位置よりも幅方向外側に位置するとともに、ウイング部５０の外縁５０ＷＥよりも幅方向内側に位置する。【選択図】図１
2011156239.tif 000002
【特許請求の範囲】
【請求項１】
縦方向と、該縦方向に直交する幅方向とを有する吸収性物品において、
液体を吸収する吸収体を有する本体部と、
前記本体部から前記本体部の幅方向外側に突出し、着用者の下着の非肌当接面に折り返されるウイング部と、
弾性部材を用いないシート状部材により形成され、前記本体部の幅方向外側に突出するフラップ部と
を備え、
前記フラップ部は、
前記縦方向において前記ウイング部と対応する部分に設けられる幅狭部分と、
前記縦方向における前記ウイング部の両端部の外側にそれぞれ設けられ、前記幅方向における前記幅狭部分の外縁よりも幅方向外側に突出した幅広部分と
を有し、
前記幅方向における前記幅狭部分の外縁は、前記ウイング部が折り返されるときの折り返し線の位置よりも幅方向外側に位置するとともに、前記ウイング部の外縁よりも幅方向内側に位置する吸収性物品。
【請求項２】
前記幅広部分の一部は、前記縦方向における前記ウイング部の端部と重なる請求項１に記載の吸収性物品。
【請求項３】
前記フラップ部の非肌当接面には、複数の凹凸が形成される請求項１または２に記載の吸収性物品。
【請求項４】
前記複数の凹凸の少なくとも一部は、前記非肌当接面において、前記縦方向に対して傾斜して延在する請求項３に記載の吸収性物品。
【請求項５】
前記フラップ部の色は、前記ウイング部の色と異なる請求項１乃至４の何れか一項に記載の吸収性物品。
【請求項６】
前記フラップ部の色は、前記本体部の幅方向外側に行くに連れて濃くなる請求項５に記載の吸収性物品。
【発明の詳細な説明】
【技術分野】
【０００１】
本発明は、着用者の下の非肌当接面に折り返されるウイング部と、吸収体を有する本体部の側端部から幅方向外側に延出したフラップ部とを備える吸収性物品に関する。
【背景技術】
【０００２】
従来、生理用ナプキンなどの吸収性物品では、体液などの液体を吸収する吸収体を有する本体部の幅方向外側に突出した小片状のウイング部を設けた形状が広く用いられている。ウイング部は、着用者の下着（ショーツ）の非肌当接面に折り返される。また、このようなウイング部に加えて、本体部の側端部から幅方向外側に延出した細長いフラップ部を設けた形状も知られている。さらに、弾性糸と不織布となどで形成された防漏部（ギャザー）を本体部の側端部に沿って設けた構造も知られている（例えば、特許文献１）。
【０００３】
このような吸収性物品は、ウイング部によって下着のクロッチ部分に固定されるとともに、フラップ部や防漏部によって着用者から排泄される体液を堰き止めるため、いわゆる横漏れを効果的に防止し得る。
【先行技術文献】
【特許文献】
【０００４】
【特許文献１】特開平５−１３７７５０号公報（第３−４頁、第８図）
【発明の概要】
【発明が解決しようとする課題】
【０００５】
しかしながら、上述した従来の吸収性物品には、次のような問題があった。すなわち、防漏部が設けられていると、着用者が静止しているときには良好な吸収性物品のフィット性が得られ、横漏れを効果的に防止できるが、着用者が姿勢を変えたときなどに横漏れを誘発し易い問題があった。具体的には、弾性糸を不織布で挟んだ防漏部はそもそも厚く、弾性糸が縮むと防漏部の剛性が高くなる。このため、防漏部は、着用者の急激な姿勢の変化に即座に追従できず着用者と吸収性物品との間に隙間が生じ易い。この隙間が横漏れを生じさせ得る。
【０００６】
また、ウイング部の上にフラップ部が重なるように設けられると、ウイング部が見づらく、また取扱いづらいため、ウイング部を下着のクロッチ部分に正しく固定できず吸収性物品の装着ミスが発生し易い問題があった。
【０００７】
そこで、本発明は、このような状況に鑑みてなされたもので、ウイング部及びフラップ部を備える場合において、吸収性物品の装着ミスを低減しつつ、より確実に横漏れを防止できる吸収性物品の提供を目的とする。
【課題を解決するための手段】
【０００８】
上述した課題を解決するため、本発明は、次のような特徴を有している。すなわち、本発明は、縦方向（縦方向L）と、該縦方向に直交する幅方向（幅方向W）とを有する吸収性物品（生理用ナプキン１）において、液体を吸収する吸収体（吸収体４０）を有する本体部（本体部５）と、前記本体部から前記本体部の幅方向外側に突出し、着用者の下着（ショーツ２００）の非肌当接面に折り返されるウイング部（ウイング部５０）と、弾性部材を用いないシート状部材により形成され、前記本体部の幅方向外側に突出するフラップ部（フラップ部１００）とを備え、前記フラップ部は、前記縦方向において前記ウイング部と対応する部分に設けられる幅狭部分（幅狭部分１００A）と、前記縦方向における前記ウイング部の両端部の外側にそれぞれ設けられ、前記幅方向における前記幅狭部分の外縁よりも幅方向外側に突出した幅広部分（幅広部分１００B）とを有し、前記幅方向における前記幅狭部分の外縁（外縁１００ＡＥ）は、前記ウイング部が折り返されるときの折り返し線（折り返し線Ｌ１）の位置よりも幅方向外側に位置するとともに、前記ウイング部の外縁（外縁５０ＷＥ）よりも幅方向内側に位置する。
【発明の効果】
【０００９】
本発明の特徴によれば、ウイング部及びフラップ部を備える場合において、吸収性物品の装着ミスを低減しつつ、より確実に横漏れを防止できる吸収性物品を提供することができる。
【図面の簡単な説明】
【００１０】
【図１】図１は、本発明の第１実施形態に係る生理用ナプキン１の展開表面図である。
【図２】図２は、本発明の第１実施形態に係る生理用ナプキン１の展開裏面図である。
【図３】図３（ａ）は、図１のＡ−Ａ線に沿った生理用ナプキン１の断面図である。図３（ｂ）は、図１のＢ−Ｂ線に沿った生理用ナプキン１の断面図である。
【図４】図４（ａ）は、着用時における図１のＡ−Ａ線に沿った生理用ナプキン１の断面図である。図４（ｂ）は、着用時における生理用ナプキン１を、非肌当接面側から見た斜視図である。
【図５】図５は、本発明の第１実施形態に係る生理用ナプキン１とショーツのクロッチ部分との平面視における関係を示す図である。
【図６】図６は、変更例１に係る生理用ナプキン１Xを示す展開表面図である。
【図７】図７は、第２実施形態に係る生理用ナプキン１Ｙの展開表面図である。
【図８】図８は、第２実施形態に係る生理用ナプキン１Ｙの展開裏面図である。
【図９】図９（ａ）は、第２実施形態に係る生理用ナプキン１Ｙにおける図７のＡ−Ａ断面図である。図９（ｂ）は、第２実施形態に係る生理用ナプキン１Ｙにおける図７のＢ−Ｂ断面図である。
【図１０】図１０（ａ）は、その他の実施形態に係る生理用ナプキン１Ｚにおける部分断面図である。図１０（ｂ）は、その他の実施形態に係る生理用ナプキン１Ｚにおける部分断面図である。
【発明を実施するための形態】
【００１１】
次に、本発明に係る吸収性物品の実施形態について、図面を参照しながら説明する。なお、以下の図面の記載において、同一または類似の部分には、同一または類似の符号を付している。ただし、図面は模式的なものであり、各寸法の比率などは現実のものとは異なることに留意すべきである。
【００１２】
従って、具体的な寸法などは以下の説明を参酌して判断すべきである。また、図面相互間においても互いの寸法の関係や比率が異なる部分が含まれ得る。
【００１３】
［第１実施形態］
図１は、本発明の第１実施形態に係る生理用ナプキン１の展開表面図である。図２は、本発明の第１実施形態に係る生理用ナプキン１の展開裏面図である。図３（ａ），（ｂ）は、生理用ナプキン１の断面図である。具体的には、図３（ａ）は、図２のＡ−Ａ線に沿った生理用ナプキン１の断面図である。図３（ｂ）は、図２のＢ−Ｂ線に沿った生理用ナプキン１の断面図である。図４（ａ）は、着用時における図２のＡ−Ａ線に沿った生理用ナプキン１の断面図である。図４（ｂ）は、着用時における生理用ナプキン１を、非肌当接面側から見た斜視図である。
【００１４】
図１〜図４に示すように、生理用ナプキン１は、身体から排泄される経血、尿及びおりものなどを吸収するため、身体の股間部に装着される。特に、女性の膣口から排泄される経血を吸収することを目的としている。
【００１５】
生理用ナプキン１は、図１及び図２に示すように、着用者の前側から後側に向かう方向に対応した縦方向Lに沿って縦長の形状を有する。生理用ナプキン１は、主に昼用に使用されるものであり、前後対称の形状を有する。
【００１６】
生理用ナプキン１は、本体部５と、フラップ部１００と、ウイング部５０とを備える。本体部５は、第１表面シート１０と、第２表面シート２０と、裏面シート３０と、吸収体４０とから形成されている。フラップ部１００は、第２表面シート２０と裏面シート３０の一部とが接合されることによって形成されている。なお、生理用ナプキン１は、公知の製造方法（例えば、特開２００１−６１８８４）によって製造できる。
【００１７】
第１表面シート１０は、液透過性の資材で形成され、着用者の肌と当接する。第１表面シート１０は、着用者の肌に刺激を与えない資材で形成される。例えば、第１表面シート１０に用いられる資材としては、多数の液透過孔が形成されたプラスチック樹脂フィルム、液透過性の不織布、伸縮不織布、または布織物などが挙げられる。これらの資材は、単独または組み合わせて用いられる。
【００１８】
第２表面シート２０は、第１表面シート１０とともに、生理用ナプキン１の表面層の一部を構成する。第２表面シート２０は、生理用ナプキン１の幅方向W両外側に設けられている。第２表面シート２０の縦方向Lの一方の端部は略直線であり、第１表面シート１０の縦方向Lの一方の端部と重なる。第２表面シート２０の縦方向Lの他方の端部は裏面シート３０の外周の一部の形状と一致する。なお、第２表面シート２０は、液不透過性の資材、伸縮不織布などによって形成される。
【００１９】
裏面シート３０は、液不透過性の資材によって形成され、着用者の下着などの衣類と当接する。つまり、裏面シート３０は、吸収体４０を介して第１表面シート１０の反対側に設けられる。裏面シート３０に用いられる資材としては、ポリエチレン、ポリプロピレン、ポリエチレンテレフタレート、ポリビニルアルコール、ポリ乳酸、ポリブチルサクシネート、及びこれらをラミネートしたものなどが挙げられる。
【００２０】
裏面シート３０の非肌当接面側の表面には、縦方向Lに沿って２つの粘着部７０が設けられている。粘着部７０は、着用者が生理用ナプキン１を下着に固定するために接着剤、接着テープ、面ファスナーなどが配置される部分である。本実施形態では、ホットメルト粘着材が塗布されることによって、粘着部７０が形成されている。
【００２１】
吸収体４０は、第１表面シート１０と裏面シート３０との間に設けられる。吸収体４０に用いられる資材としては、パルプ、化学パルプ、レーヨン、アセテートレーヨン、天然コットン、高分子吸収性ポリマー、繊維性高分子吸収体、合成繊維を単独またはこれらを混合したものなどが挙げられる。
【００２２】
また、第１表面シート１０、第２表面シート２０、裏面シート３０、及び吸収体４０は、接着剤（例えばホットメルト）や熱融着などによって各々が接合される。
【００２３】
第１実施形態では、図１に示すように、第１表面シート１０と吸収体４０とは、圧搾溝９０によって接合されている。具体的には、第１表面シート１０及び吸収体４０に対してエンボス加工が施されることによって第１表面シート１０と吸収体４０とが接合されている。なお、第１実施形態では、圧搾溝９０は、平面視において、第１表面シート１０上に２つの環状の圧搾溝と、２つの圧搾溝との間に設けられている曲線状の圧搾溝が２つ形成されている。圧搾溝の構成については、本実施形態に限られるものではない。
【００２４】
フラップ部１００は、第２表面シート２０と裏面シート３０とが、ホットメルト粘着材などの接着材によって接合されることによって形成されている。つまり、第１実施形態においては、フラップ部１００は、弾性部材を含まないシート状である。
【００２５】
フラップ部１００は、生理用ナプキン１の幅方向W両端部に設けられ、本体部５の幅方向外側に突出する。フラップ部１００は、生理用ナプキン１の縦方向Lの中央部分に設けられる幅方向Wの幅が狭い幅狭部分１００Aと、幅狭部分１００Aより幅方向Wの幅が広い幅広部分１００Bとを有する。幅狭部分１００Aは、縦方向Lにおいてウイング部５０と対応する部分に設けられる。
【００２６】
幅広部分１００Bは、幅狭部分１００Aの外縁１００ＡＥよりも幅方向外側に突出する。また、幅広部分１００Bは、幅狭部分１００Aの縦方向L両外側に設けられている。つまり、フラップ部１００は、生理用ナプキン１の縦方向Lにおいて、中央部分は幅方向W内側にくびれ、両外側部分は幅方向W外側に突出した形状である。
【００２７】
また、幅方向Wにおける幅狭部分１００Aの外縁１００ＡＥは、ウイング部５０がショーツ２００の非肌当接面に折り返されるときの折り返し線Ｌ１の位置よりも幅方向外側に位置するとともに、ウイング部５０の外縁５０ＷＥよりも幅方向内側に位置する。従って、図４（ｂ）に示すように、着用時において、フラップ部１００の幅方向Wの外縁は、ショーツ２００のクロッチ部分２００Aの側端に沿うように曲がった形状となっている。つまり、フラップ部１００は、生理用ナプキン１の着用時においてクロッチ部分２００Aの側端で押さえられるような大きさで構成されている。
【００２８】
ここで、第１実施形態に係る生理用ナプキン１のフラップ部１００とショーツのクロッチ部分２００Aとの重なり状態について説明する。図５は、本発明の第１実施形態に係る生理用ナプキン１と、ショーツのクロッチ部分との平面視における関係を示す図である。なお、図５に示す５つの一対の曲線（LA、LB、LC、LD、LE）は、一般に販売されている５種類のショーツのクロッチラインを示している。図５に示すように、生理用ナプキン１のフラップ部１００は、平面視において、５つのクロッチラインLA、LB、LC、LD、LEと重なるように構成されている。すなわち、着用時において、フラップ部１００は、着用者の鼠蹊部と、ショーツのクロッチ部との間に位置するように構成されている。また、生理用ナプキン１のフラップ部１００は、生理用ナプキン１の縦方向Lにおいて、中央部分は幅方向W内側にくびれ、両外側部分は幅方向W外側に突出した形状であり、着用時において、クロッチラインに沿うように形成されている。
また、フラップ部１００は、厚み方向Tにおいては、後述するウイング部５０の上に重なるように設けられており、縦方向Lにおいては、フラップ部１００の長さは、ウイング部５０の長さより長く構成されている。
【００２９】
第１実施形態では、フラップ部１００は、曲げ硬さ（B値）が0.2以下、好ましくは0.1以下となるように形成されている。また、フラップ部１００は、光線透過率が25％以上であるように形成されている。
【００３０】
また、フラップ部１００の非肌当接面には、エンボス加工などにより、凹凸部１００Ｔが形成されている。凹凸部１００Ｔは、生理用ナプキン１の縦方向Lに対して傾斜して延在しており、フラップ部１００の幅方向Wの外縁の形状に沿うように形成されている。つまり、凹凸部１００Ｔは、生理用ナプキン１の縦方向Lにおいて、中心部分から両外側へ向かうに従って、生理用ナプキン１の幅方向W外側に広がるように形成されている。第１実施形態では、凹凸部１００Ｔは、平面視において、葉っぱ柄または花柄となるように形成されている。
【００３１】
ウイング部５０は、液不透過性の資材によって形成されており、幅方向W外側の端辺が短く、幅方向W内側の端辺が長い略台形の形状を有している。ウイング部５０は、生理用ナプキン１の幅方向W外側に向かって延出するように構成されている。具体的には、平面視において、ウイング部５０は、フラップ部１００の幅狭部分１００Aと隣接しており、フラップ部１００の幅狭部分１００Aから幅方向W外側に向かって延出するように構成されている。つまり、平面視において、ウイング部５０の縦方向L両外側には、フラップ部１００の幅広部分１００Bが構成される。ウイング部５０の縦方向L外側の縁である、ウイング部外側端５０LＥは、フラップ部１００の幅広部分１００Bと重なるように構成されている。
【００３２】
ウイング部５０には、着用者の下着（ショーツ２００）のクロッチ部分２００Aの非肌当接面に固定するための粘着部８０が設けられている。本実施形態では、ホットメルト粘着材が塗布されることによって、粘着部８０が形成されている。
【００３３】
ウイング部５０は、接合部６０において、フラップ部１００の非肌当接面側に接合されている。ウイング部５０とフラップ部１００とは、接着剤（例えばホットメルト）や熱融着などによって接合されている。
【００３４】
接合部６０は、フラップ部１００における幅狭部分１００Aの非肌当接面側に、縦方向Lに沿って設けられる。接合部６０は、幅方向Wにおいて、吸収体４０の最も外側である、外側端４０E（図１，図２にて不図示、図３（ａ）参照）と、フラップ部１００の幅狭部分１００Aの外縁１００ＡＥとの間に設けられる。具体的には、接合部６０は、外縁１００ＡＥから幅方向W内側に３ｍｍ以上、好ましくは５ｍｍ以上の距離を空けて設けられる。
【００３５】
また、ウイング部５０と、フラップ部１００とは色相や色調が異なる材質で構成されている。第１実施形態では、フラップ部１００は白色に形成されており、ウイング部５０は青色に着色されて形成されている。または、フラップ部１００に青色等の柄を印刷し、ウイング部５０は白色とする構成でもよい。
【００３６】
以上、説明した第１実施形態では、フラップ部１００の長さは、生理用ナプキン１の縦方向Lにおいて、ウイング部５０の長さよりも長く構成されている。これによれば、着用時において、フラップ部１００が、ショーツ２００のクロッチ部分２００Aを広く覆うことが可能となる。また、フラップ部１００は、従って、クロッチ部分２００Aのゴム（不図示）によって着用者の肌に押し付けられる。このため、着用者の鼠蹊部において、横漏れを防止することが可能となる。
【００３７】
第１実施形態では、フラップ部１００は、生理用ナプキン１の幅方向Wに沿ったウイング部５０の幅よりも狭い幅狭部分１００Aと、幅狭部分１００Aよりも幅が広い幅広部分１００Bとを有している。これによれば、着用時において、ウイング部５０が着用者のショーツ２００の非肌当接面側に折り返された場合でも、幅広部分１００Bは、幅方向W内側にたくれることがない。従って、幅広部分１００Bは、幅方向Wに広げられた状態でショーツ２００のクロッチ部分２００Aを覆うことが可能となる。結果として、着用者の鼠蹊部において、横漏れを防止することが可能となる。また、幅狭部分１００Aを設けていることにより、着用時において、生理用ナプキン１は着用者の股間部にフィットし、装着感が向上する。さらに、幅狭部分１００Aを設けていることにより、ウイング部５０を視認し易く、着用者による誤使用や取り付けミスを抑制することが可能となる。
【００３８】
第１実施形態では、フラップ部１００は、弾性部材を含まないシート状部材によって構成されている。これによれば、フラップ部１００は、着用時において、着用者の鼠蹊部と、ショーツ２００のクロッチ部分２００Aとの間に密着した状態で固定される。以下、具体的に説明する。
【００３９】
生理用ナプキン１は、次のように装着されることが多い。着用者は、ショーツ２００を股間部よりも足の方へ下げて、膝付近などの位置で、生理用ナプキン１をショーツ２００のクロッチ部分２００Aの肌当接面側へ貼り付ける。次に、着用者は下着を装着するために、下着を下腹部など所定の位置まで引き上げる。この時、ショーツ２００のクロッチ部分２００Aに配設されているゴムの伸縮力によって、フラップ部１００は着用者の鼠蹊部に押し当てられる。その結果、フラップ部１００は、着用者の鼠蹊部と、ショーツ２００のクロッチ部分２００Aとの間に隙間なく固定され、横漏れを防止することが可能となる。
【００４０】
また、現在は、伸縮性を有する不織布素材を使用した下着も販売され、一般的に利用されている。このような伸縮性を有する不織布素材による下着を着用する場合においても、上記効果と同様の効果が得られる。
【００４１】
第１実施形態では、幅狭部分１００Aは、平面視において、ウイング部５０よりも幅方向W内側に配設されるとともに、ウイング部５０とフラップ部１００との接合部６０の幅方向W外側端を覆うように構成されている。これによれば、接合部６０は、フラップ部１００の幅狭部分１００Aにおいて最も内側である、外縁１００ＡＥより幅方向W内側に設けられる。従って、着用者が、生理用ナプキン１を着用する際に、ウイング部５０を、ショーツ２００のクロッチ部分２００Aの非肌当接面側に折り返した場合でも、フラップ部１００はウイング部５０に引っ張られることなく、着用者の鼠蹊部に押し当てられる。従って、着用者の鼠蹊部において、隙間ができず、横漏れを防止することが可能となる。
【００４２】
第１実施形態では、幅広部分１００Bは、生理用ナプキン１の縦方向Lにおけるウイング部５０の両端部の外側にそれぞれ設けられている。これによれば、着用者の排泄口の前後斜め横方向において、フラップ部１００は大きく構成される。従って、特に、着用者が寝た姿勢であっても、幅広部分１００Bによって漏れを防止することが可能となる。
【００４３】
第１実施形態では、フラップ部１００の外縁は、幅狭部分１００Aから幅広部分１００Bに渡ってクロッチ部分２００Aの側端に沿うように曲がっており、さらに、幅広部分１００B及び幅狭部分１００Aは、着用者がショーツ２００を着用した際にクロッチ部分２００Aの側端と重なる位置に設けられている。これによれば、フラップ部１００は、ショーツ２００のクロッチ部分２００Aの形状に沿うようになり、着用者の着用時における違和感を着用者に与えることがない。また、着用時において、フラップ部１００が、着用者の鼠蹊部にしっかりとフィットする。従って、フラップ部１００は、着用者の鼠蹊部と、ショーツ２００のクロッチ部分２００Aとの間に密着した状態で固定される。具体的には、クロッチ部分２００Aに設けられているゴムの力によって、フラップ部１００は、着用者の鼠蹊部に押し当てられる。その結果、着用者の鼠蹊部において、隙間ができず、横漏れを防止することが可能となる。
【００４４】
第１実施形態では、幅広部分１００Bの一部は、平面視において、生理用ナプキン１の縦方向Lにおけるウイング部５０の端部と重なるように構成されている。これによれば、縦方向Lにおいて、フラップ部１００の幅広部分１００Bと、ウイング部５０とによって、ショーツ２００のクロッチ部分２００Aを大きく覆うことが可能となる。従って、生理用ナプキン１の縦方向Lにおいてすき間を作ることがない。その結果、横漏れをさらに防止することが可能となる。
【００４５】
第１実施形態では、フラップ部１００の非肌当接面には、複数の凹凸部１００Ｔが形成されている。これによれば、凹凸部１００Ｔが延在する方向に沿ってフラップ部１００は曲がり易くなる。従って、着用時において、クロッチ部分２００Aのゴムの力によって、着用者の鼠蹊部に押し当てられた場合、フラップ部１００は、クロッチ部分２００Aの形状に沿い易い。その結果、フラップ部１００は、着用者の鼠蹊部と、ショーツ２００のクロッチ部分２００Aとの間に隙間なく固定され、横漏れを防止することが可能となる。
【００４６】
第１実施形態では、凹凸部１００Ｔの少なくとも一部は、生理用ナプキン１の縦方向Lに対して傾斜して延在している。これによれば、着用時において、フラップ部１００は、クロッチ部分２００Aのゴムの力によって、着用者の鼠蹊部に押し当てられた場合に、クロッチ部分２００Aの形状にさらに沿い易くなる。その結果、フラップ部１００は、着用者の鼠蹊部と、ショーツ２００のクロッチ部分２００Aとの間に隙間なく固定され、横漏れを防止することが可能となる。
【００４７】
第１実施形態では、ウイング部５０と、フラップ部１００とは色相や色調が異なる材質で構成されている。これによれば、平面視において重なって構成されているウイング部５０とフラップ部１００との見た目を異ならせているため、ウイング部５０とフラップ部１００との判別が容易になる。着用者にとっては、ウイング部５０を、ショーツ２００のクロッチ部分２００Aの非肌当接面に巻き込み、固定する作業が必要であるが、ウイング部５０を容易に判別できることにより、着用者は、迷うことなくウイング部５０をショーツ２００に取り付けることができる。従って、着用者による誤使用や取り付けミスを抑制することが可能となる。
【００４８】
第１実施形態では、フラップ部１００は、曲げ硬さ（B値）が0.2以下、好ましくは0.1以下となるように形成されている。これによれば、ショーツ２００のクロッチ部分２００Aのゴムの力によってフラップ部１００が、着用者の鼠蹊部にしっかりと押し当てられるようになる。従って、着用者の鼠蹊部において、隙間ができず、横漏れを防止することが可能となる。一方、フラップ部１００の曲げ硬さ（B値）が0.2よりも大きい場合、フラップ部１００が、クロッチ部分２００Aのゴムの力の影響を受け難くなり、フラップ部１００と着用者の鼠蹊部との間に隙間ができ、横漏れの原因となる。
【００４９】
第１実施形態では、フラップ部１００は、光線透過率が25％以上であるように形成されている。これによれば、着用者が生理用ナプキン１を装着する際において、フラップ部１００を透かして、ショーツ２００のクロッチ部分２００Aやウイング部５０の付け根を視認することができる。従って、着用者による誤使用や取り付けミスを抑制することが可能となる。一方、フラップ部１００の光線透過率が25％よりも小さい場合、着用者が生理用ナプキン１を装着する際において、フラップ部１００はショーツ２００のクロッチ部分２００Aを覆ってしまうため、取り付け位置が見え難くなり、誤使用や取り付けミスの原因となる。
【００５０】
［変更例］
上述した第１実施形態に係る生理用ナプキン１は、次のように変更してもよい。なお、上述した第１実施形態に係る生理用ナプキン１と同一部分には同一の符号を付して、相違する部分を主として説明する。
【００５１】
［変更例１］
まず、変更例１に係る生理用ナプキン１Xについて、図面を参照しながら説明する。図６は、変更例１に係る生理用ナプキン１Xを示す展開表面図である。
【００５２】
図６に示すように、変更例１に係る生理用ナプキン１Xは、ウイング部５０Xと、フラップ部１００Xとは色相や色調が異なる材質で構成されており、さらに、フラップ部１００Xは、生理用ナプキン１の幅方向W外側に向かうに従って、色調が濃くなっていくように形成されている。
【００５３】
以上、説明した変更例１に係る生理用ナプキン１Xによれば、着用者は、フラップ部１００Xの幅方向W外側端部を視認することが容易となる。従って、着用者による誤使用や取り付けミスを抑制することが可能となる。
【００５４】
また、例えば、生理用ナプキン１Xの第１表面シート１０の色が白色で形成されており、かつフラップ部１００Xの幅方向W内側も白色で形成されている場合、フラップ部１００Xにおいて、幅方向W外側に向かうにしたがって、着色されていることによって、着用者にとっては、生理用ナプキン１の幅が広く見えるという視覚効果が作用する。その結果、着用者は、生理用ナプキン１の肌当接面（表面）が広く見えるため、安心感を得ることができる。
【００５５】
［第２実施形態］
以下において、本発明の第２実施形態に係る生理用ナプキン１Ｙについて説明する。なお、上述した第１実施形態に係る生理用ナプキン１と同一部分には同一の符号を付して、相違する部分を主として説明する。
【００５６】
図７乃至図９を参照して、本発明の第２実施形態に係る生理用ナプキン１Ｙについて説明する。図７は、第２実施形態に係る生理用ナプキン１Ｙの展開表面図である。図８は、第２実施形態に係る生理用ナプキン１Ｙの展開裏面図である。図９（ａ）は、第２実施形態に係る生理用ナプキン１Ｙにおける図７のＡ−Ａ断面図である。図９（ｂ）は、第２実施形態に係る生理用ナプキン１Ｙにおける図７のＢ−Ｂ断面図である。
【００５７】
生理用ナプキン１Ｙは、生理用ナプキン１Ｙは、図７及び図８に示すように、着用者の前側から後側に向かう方向に対応した縦方向Lに沿って縦長の形状を有する。生理用ナプキン１Ｙは、主に夜間に使われるものであり、前後非対象である。
【００５８】
生理用ナプキン１Ｙは、本体部５と、フラップ部１００Ｙと、ウイング部５０Ｙとを備える。本体部５は、第１表面シート１０と、第２表面シート２０、裏面シート３０と、吸収体４０とから形成されている。
【００５９】
なお、第２実施形態の生理用ナプキン１Ｙにおける本体部５、粘着部７０、圧搾溝９０は、第１実施形態の生理用ナプキン１と同様の構成である。
【００６０】
第２実施形態においては、フラップ部１００Ｙは、裏面シート３０によって形成されている。
【００６１】
フラップ部１００Ｙは、生理用ナプキン１Ｙの幅方向W両端部に設けられる。フラップ部１００Ｙは、生理用ナプキン１Ｙの幅方向W中央部側へ凹んだ形状である幅狭部分１００AＹ及び幅狭部分１００ＣＹと、幅狭部分１００AＹ及び幅狭部分１００ＣＹより幅方向Wの幅が広い幅広部分１００BＹ及び幅広部分１００ＤＹとを有する。
【００６２】
フラップ部１００Ｙは、着用者時において、縦方向L前側から、幅広部分１００ＤＹ、幅狭部分１００AＹ、幅広部分１００BＹ、幅狭部分１００ＣＹの順番で繋がって形成されている。
【００６３】
フラップ部１００Ｙは、幅狭部分１００AＹにおいて、幅方向W内側にくびれた形状である。従って、着用時において、フラップ部１００Ｙの幅方向Wの外縁は、着用者のショーツ２００のクロッチ部分２００Aの側端に沿うように曲がった形状となっている。フラップ部１００Ｙは、着用時において、着用者の下着のクロッチ部分２００Aの側端と重なる大きさで構成されている点は第１実施形態の生理用ナプキン１と同様である。また、フラップ部１００Ｙの幅狭部分１００AＹは、厚み方向Tにおいては、後述する中央ウイング５０Ｙ１に重なるように設けられている。
【００６４】
また、フラップ部１００Ｙの非肌当接面には、エンボス加工などにより、凹凸部１００ＴＹが形成されている。凹凸部１００ＴＹは、フラップ部１００Ｙの幅方向Wの外縁の形状に沿うように形成されている。第１実施形態では、凹凸部１００Ｔは、平面視において、葉っぱ柄、花柄または蝶々柄となるように形成されている。
【００６５】
第２実施形態においては、ウイング部５０Ｙは、裏面シート３０によって形成されている。具体的には、裏面シート３０が幅方向W両外側に張り出すように形成されている。
【００６６】
ウイング部５０Ｙは、平面視において、フラップ部１００Ｙの幅狭部分１００AＹと重なる
中央ウイング５０Ｙ１と、フラップ部１００Ｙの幅狭部分１００ＣＹと重なる後方ウイング５０Ｙ２と、フラップ部１００Ｙの幅広部分１００ＤＹと重なる前方ウイング５０Ｙ３とから構成されている。
【００６７】
中央ウイング５０Ｙ１と後方ウイング５０Ｙ２と前方ウイング５０Ｙ３とは、生理用ナプキン１の幅方向W外側に向かって延出するように構成されている。中央ウイング５０Ｙ１は、平面視において、フラップ部１００Ｙの幅狭部分１００AＹと隣接しており、フラップ部１００Ｙの幅狭部分１００AＹから幅方向W外側に向かって延出するように構成されている。なお、中央ウイング５０Ｙ１は、裏面シート３０の付け根部分を結んだ仮想線５０ＹＳと折り基点として、着用者のショーツの非肌当接面側に折り返されて係止される。
後方ウイング５０Ｙ２は、平面視において、フラップ部１００Ｙの幅狭部分１００ＣＹと隣接しており、フラップ部１００Ｙの幅狭部分１００ＣＹから幅方向W外側に向かって延出するように構成されている。
【００６８】
つまり、平面視において、中央ウイング５０Ｙ１の縦方向L両外側には、フラップ部１００Ｙの幅広部分１００BＹと幅広部分１００ＤＹが構成されている。後方ウイング５０Ｙ２の縦方向L内側には、フラップ部１００Ｙの幅広部分１００BＹが構成されている。
【００６９】
中央ウイング５０Ｙ１及び後方ウイング５０Ｙ２の縦方向L外側縁は、フラップ部１００Ｙの幅広部分１００BＹ及び幅広部分１００ＤＹと重なるように構成されている。
【００７０】
中央ウイング５０Ｙ１には、着用者の下着のクロッチ部分２００A（不図示）の非肌当接面に固定するための粘着部８０Ｙが設けられている。粘着部８０Ｙの構成については、第１実施形態の粘着部８０と同様である。
【００７１】
後方ウイング５０Ｙ２には、着用者の下着の後方部分を固定するための粘着部８０Ｙ’が設けられている。粘着部８０Ｙ’の構成については、第１実施形態の粘着部８０と同様である。
【００７２】
以上、説明した第２実施形態によれば、第１実施形態と同様に、ウイング部及びフラップ部を備える場合において、生理用ナプキン１Ｙの装着ミスを低減しつつ、より確実に横漏れを防止できる効果を有する。特に、第２実施形態に係る生理用ナプキン１Ｙにおいては、着用者の後ろ側を広く覆うことが可能となるため、特に着用者が寝ている姿勢において、より確実に横漏れを防止できる。
【００７３】
［その他の実施形態］
上述したように、本発明の実施形態を通じて本発明の内容を開示したが、この開示の一部をなす論述及び図面は、本発明を限定するものであると理解すべきではない。この開示から当業者には様々な代替実施の形態、実施例及び運用技術が明らかとなる。
【００７４】
例えば、本発明の実施形態は、次のように変更することができる。
【００７５】
図１０（ａ）は、その他の実施形態に係る使い生理用ナプキン１Ｚの部分断面図（図７のＡ−Ａ線と同様の位置における断面図）である。図１０（ｂ）は、その他の実施形態に係る生理用ナプキン１Ｚの部分断面図（図７のＢ−Ｂ線と同様の位置における断面図）である。
【００７６】
第１実施形態の生理用ナプキン１、及び第２実施形態の生理用ナプキン１Ｙでは、フラップ部と、ウイング部とは、別々の部材（第２表面シート、裏面シート）によって構成されていた。
【００７７】
しかし、図１０（ａ）及び（ｂ）に示すように、生理用ナプキン１Ｚは、第２表面シート２０Ｚが折り返されて、第１表面シート１０に接合されている。第２表面シート２０Ｚは、折り返されることにより、厚み方向Tにおいて上側に設けられる部分がフラップ部１００Ｚとして、一方、厚み方向Tにおいて下側に設けられる部分がウイング部５０Ｚとして形成される。
【００７８】
以上、説明したその他の実施形態においても、第１実施形態、及び第２実施形態と同様に、ウイング部及びフラップ部を備える場合において、生理用ナプキン１Ｙの装着ミスを低減しつつ、より確実に横漏れを防止できる効果を有する。
【００７９】
また、本発明の実施形態は、次のように変更することができる。
【００８０】
具体的には、本発明の吸収性物品は、生理用ナプキンであるものとして説明したが、これに限定されるものではなく、例えば、失禁パットやパンティーライナー、使い捨ておむつなどであってもよい。
【００８１】
上述した第１実施形態や第２実施形態では、吸収体の幅方向外側端には、第２表面シート、裏面シートのみが設けられており、フラップ部が形成されているものとして説明したが、これに限定されるものではなく、例えば、吸収体の長手方向Ｌに沿った弾性部材が、吸収体の幅方向両外側に設けられることによって、ギャザーが構成されていてもよい。この場合、着用者の鼠蹊部と、ショーツのクロッチ部との間に隙間が形成されない程度の伸長倍率が低いギャザーが設けられることが好ましい。ギャザーを配置することで、より一層横モレ防止性能が向上する。
【００８２】
また、フラップ部において、幅方向Ｗ内側に凹み、くびれた形状となる幅狭部の長手方向の中心部が、ウイングの長手方向の中心部と一致していなくともよい。
【００８３】
また、フラップ部の内部に吸収性の部材を配置してもよい。例えばレーヨンやコットンのような親水性の繊維を含むスパンレースであれば、柔らかなフラップを構成することができる。
【００８４】
このように、本発明は、ここでは記載していない様々な実施の形態などを含むことは勿論である。従って、本発明の技術的範囲は、上述の説明から妥当な特許請求の範囲に係る発明特定事項によってのみ定められるものである。
【符号の説明】
【００８５】
１，１X，１Ｙ，１Ｚ…生理用ナプキン、５…本体部、１０…第１表面シート、２０，２０Ｚ…第２表面シート、３０…裏面シート、４０…吸収体、４０E…吸収体外側端、５０，５０Ｙ…ウイング部、５０Ｙ１…中央ウイング、５０Ｙ２…後方ウイング、５０Ｙ３…前方ウイング、５０ＹＳ…仮想線、５０LＥ…ウイング部外側端、５０ＷＥ…外縁、５０X…ウイング部、６０…接合部、７０，８０…粘着部、９０…圧搾溝、１００…フラップ部、１００A…幅狭部分、１００ＡＥ…外縁、１００B…幅広部分、１００X，１００Ｙ…フラップ部、１００AＹ…幅狭部分、１００BＹ…幅広部分、１００ＣＹ…幅狭部分、１００ＤＹ…幅広部分、１００Ｔ，１００ＴＹ…凹凸部，２００…ショーツ、２００A…クロッチ部分
【図１】
2011156239.tif 000003
【図２】
2011156239.tif 000004
【図３】
2011156239.tif 000005
【図４】
2011156239.tif 000006
【図５】
2011156239.tif 000007
【図６】
2011156239.tif 000008
【図７】
2011156239.tif 000009
【図８】
2011156239.tif 000010
【図９】
2011156239.tif 000011
【図１０】
2011156239.tif 000012